(57)【要約】  ヘッド部(120)と、前記ヘッド部(120)に取り付けられた取っ手部(110)と、を備える器具であって、前記ヘッド部(120)は、上面部(123)に開口部を有する本体(121)を備え、前記本体(121)は、前記上面部(123)に対向する底面部(124)と、前記上面部(123)と前記底面部(124)との間に側面部(125)とを有し、前記側面部(125)の外面は、前記側面部(125)の最外周部より内側にある前記上面部(123)、前記最外周部及び前記最外周部より内側にある前記底面部(124)に至る外側に凸である曲面を１つ以上有し、前記本体(121)は、一体物として形成されている器具。
2020105592.tif 000002
【特許請求の範囲】
【請求項１】
ヘッド部と、前記ヘッド部に取り付けられた取っ手部と、を備える器具であって、  前記ヘッド部は、    上面部に開口部を有する本体を備え、    前記本体は、前記上面部に対向する底面部と、前記上面部と前記底面部との間に側面部とを有し、    前記側面部の外面は、前記側面部の最外周部より内側にある前記上面部、前記最外周部及び前記最外周部より内側にある前記底面部に至る外側に凸である曲面を１つ以上有し、    前記本体は、一体物として形成されていることを特徴とする器具。
【請求項２】
前記本体は、金属であることを特徴とする請求項１に記載の器具。
【請求項３】
前記金属は、アルミニウムであることを特徴とする請求項２に記載の器具。
【請求項４】
前記本体の外面には、低摩擦コーティングが施されていることを特徴とする請求項１〜３のいずれか１項に記載の器具。
【請求項５】
前記低摩擦コーティングは、フッ素コーティングであることを特徴とする請求項４に記載の器具。
【請求項６】
前記底面部の外面は断面形状が外側に凸及び半径ＲＡの円弧である曲面であり、  前記側面部の外面は断面形状が外側に凸及び半径ＲＢの円弧である曲面であり、  ＲＡ＞ＲＢであることを特徴とする請求項１〜５のいずれか１項に記載の器具。
【請求項７】
前記底面部と前記側面部との間に中間部を有し、  前記中間部の外面は断面形状が外側に凸及び半径ＲＣの円弧である曲面であり、  ＲＡ＞ＲＣ＞ＲＢであることを特徴とする請求項６に記載の器具。
【請求項８】
前記本体は、中心軸に対して回転対称であることを特徴とする請求項１〜７のいずれか１項に記載の器具。
【請求項９】
前記ヘッド部は、前記本体の内部に付加装置を備えることを特徴とする請求項１〜８のいずれか１項に記載の器具。
【請求項１０】
前記付加装置は、加熱装置、冷却装置、振動発生装置、電磁波発生装置のいずれか１つ又は２以上の組み合わせであることを特徴とする請求項９に記載の器具。
【請求項１１】
前記加熱装置は、ヒータであることを特徴とする請求項１０に記載の器具。
【請求項１２】
請求項１〜１１のいずれか１項に記載の器具と、  マッサージの際に皮膚に適用する基剤を収容する容器を備え、  前記容器の上面には、前記ヘッド部を収納可能な収納部を備えることを特徴とするマッサージ用美容機器。
【請求項１３】
前記基剤は、Ｂ型粘度計における基剤温度３０℃での回転速度３ｒｐｍの粘度に対する回転速度３０ｒｐｍの粘度の比が０．５以下であり、かつ、回転速度１２ｒｐｍの粘度が２５００〜１０００００ｍＰａ・ｓであることを特徴とする請求項１２に記載のマッサージ用美容機器。
【請求項１４】
ヘッド部と、前記ヘッド部に取り付けられた取っ手部と、を備える器具を用いる美容のためのマッサージ方法であって、  前記ヘッド部は、    上面部に開口部を有する本体を備え、    前記本体は、前記上面部に対向する底面部と、前記上面部と前記底面部との間に側面部とを有し、    前記側面部の外面は、前記側面部の最外周部より内側にある前記上面部、前記最外周部及び前記最外周部より内側にある前記底面部に至る外側に凸である曲面を１つ以上有し、    前記本体は、一体物として形成されており、  基剤を皮膚に適用して前記基剤が適用された皮膚を前記ヘッド部を用いてマッサージすることを特徴とする美容のためのマッサージ方法。
【発明の詳細な説明】
【技術分野】
【０００１】  本発明は、マッサージ用美容機器、美容のためのマッサージ方法に関する。
【背景技術】
【０００２】  従来、扁平ドーム状の作用面が形成された作用ヘッドを有する温灸器の発明が知られている。（特許文献１）【０００３】  当該作用ヘッドの作用面が施術面に押し当てられる。
【先行技術文献】
【特許文献】
【０００４】
【特許文献１】特開２０１５−０６２６４１号公報
【発明の概要】
【発明が解決しようとする課題】
【０００５】  マッサージを行うためには、作用ヘッドを施術面の表面形状に沿って密着させることが望ましい。例えば、首や首から胸元にかけての部位であるデコルテをマッサージすることを考えると、首筋のような緩やかな曲面を有する肌面の場合は、施術面の緩やかな曲面のラインに適合する作用ヘッドの形状が望ましい。また、鎖骨周りのような凹凸がある肌面の場合は、施術面の凹凸に適合する作用ヘッドの形状が望ましい。【０００６】  しかしながら、従来技術は作用ヘッドの作用面の大きさが決まっているため、首や首から胸元にかけての部位であるデコルテのような多様な形状の肌面に対して適用しようとすると、作用ヘッドの作用面に適合する肌面にしか適用することができない。例えば、鎖骨周りのような凹凸がある肌面には密着させることはできない。また、使用形態に応じた形状の作用面を有するヘッドに交換するとしても作業が煩わしくなる。【０００７】  本発明の一実施形態は、多様な形状の肌面に対し、肌に密着可能なマッサージヘッドを有する美容機器を提供することを目的とする。
【課題を解決するための手段】
【０００８】  開示の技術は、  ヘッド部と、前記ヘッド部に取り付けられた取っ手部と、を備える器具であって、  前記ヘッド部は、    上面部に開口部を有する本体を備え、    前記本体は、前記上面部に対向する底面部と、前記上面部と前記底面部との間に側面部とを有し、    前記側面部の外面は、前記側面部の最外周部より内側にある前記上面部、前記最外周部及び前記最外周部より内側にある前記底面部に至る外側に凸である曲面を１つ以上有し、    前記本体は、一体物として形成されている器具である。
【発明の効果】
【０００９】  多様な形状の肌面に対し、マッサージヘッドを肌に密着させることができる。
【図面の簡単な説明】
【００１０】
【図１】本実施形態に係るマッサージ用美容機器の正面図である。
【図２】本実施形態に係る美容器具の正面図及び底面図である。
【図３】本実施形態に係る美容器具の本体の断面図及び平面図である。
【図４Ａ】本実施形態に係る美容器具の断面図である。
【図４Ｂ】本実施形態に係る美容器具の機能ブロック図である。
【図５】本実施形態に係る容器の断面図である。
【図６】本実施形態に係る美容器具の処理フローチャートである。
【図７Ａ】本実施形態に係る美容器具を用いる美容のためのマッサージ方法を説明する図である。
【図７Ｂ】本実施形態に係る美容器具を用いる美容のためのマッサージ方法を説明する図である。
【図８】変形例の美容器具の本体の断面図及び平面図である。
【図９Ａ】変形例の美容器具を用いる美容のためのマッサージ方法を説明する図である。
【図９Ｂ】変形例の美容器具を用いる美容のためのマッサージ方法を説明する図である。
【発明を実施するための形態】
【００１１】  以下に図面を参照して本実施形態について説明する。
【００１２】  最初に、マッサージ用美容機器１の全体構成について説明する。
【００１３】  図１は、本実施形態に係るマッサージ用美容機器１の正面図である。マッサージ用美容機器１は、例えば、主に首や首から胸元にかけての部位であるデコルテ等をマッサージするための美容機器である。図１に示すように、マッサージ用美容機器１は、美容器具１００と、容器２００とを備える。
【００１４】  次に、美容器具１００について説明する。
【００１５】  図２は、本実施形態に係る美容器具１００の正面図及び底面図である。図３は、本実施形態に係る美容器具１００の本体１２１の断面図及び平面図である。美容器具１００は、取っ手部１１０と、マッサージヘッド部１２０と、を備える。本実施形態では、取っ手部１１０はマッサージヘッド部１２０に取り付けられている。
【００１６】  取っ手部１１０について説明する。
【００１７】  取っ手部１１０は、施術の際に、施術者が持つための部材である。取っ手部１１０の形状は略棒状の形状である。取っ手部１１０に、後で述べるように付加装置の操作スイッチを備えるようにしてもよい。また、付加装置を駆動するための電源（電池）を内蔵するようにしてもよい。さらに、取っ手部１１０には、カバー等を取り付けてもよい。取っ手部１１０の表面に装飾を施してもよい。
【００１８】  次にマッサージヘッド部１２０について説明する。
【００１９】  マッサージヘッド部１２０は、施術の際に、施術者が施術面に押し当てるための部材である。マッサージヘッド部１２０は、本体１２１を備える。
【００２０】  マッサージヘッド部１２０の本体１２１の形状について説明する。
【００２１】  本実施形態の本体１２１は、中心軸Ｘに対して回転対称の円盤状の形状となっている。本体１２１は、上面部１２３と、上面部１２３に対向する底面部１２４と、上面部１２３と底面部１２４との間に側面部１２５とを備える。また、本実施形態では、底面部１２４と側面部１２５の間に中間部１２６を備える。底面部１２４、側面部１２５、中間部１２６の外面は、施術者がマッサージの際に、施術面に接触する面である。
【００２２】  上面部１２３、底面部１２４、側面部１２５、中間部１２６の各部について説明する。
【００２３】  本実施形態では上面部１２３は平らな円盤状の部材である。上面部１２３の中心には、開口部１２２が形成されている。開口部１２２には、取っ手部１１０が連結される。取っ手部１１０は、開口部１２２に図示しないネジや嵌合部材により取り付けられる。また、後述する本体固定部材１２９を介してネジや嵌合部材により取り付けられるようにしてもよい。なお、取っ手部１１０は、マッサージヘッド部１２０に、着脱自在に取り付けても、固定してもよい。ただし、後述する付加装置を本体内に備える場合は、着脱自在とするのが好ましい。
【００２４】  底面部１２４は、上面部１２３に対向して設けられる。底面部１２４の外面と上面部１２３の外面の向きは逆向きになっている。本実施形態では、底面部１２４の外面は、中心軸Ｘを通る断面形状が外側に凸及び半径ＲＡの円弧である曲面である。なお、底面部１２４の外面は、中心軸Ｘを回転軸とする回転面である。
【００２５】  側面部１２５は、上面部１２３と底面部１２４を折り返すように接続する部材である。側面部１２５の外面は、中心軸Ｘを通る断面形状が外側に凸及び半径ＲＢの円弧である曲面である。なお、側面部１２５の外面は、中心軸Ｘを回転軸とする回転面である。上面部１２３側から見た平面視で、側面部１２５の外周部分を最外周部１２８という場合がある。本実施形態では、最外周部１２８は平面視で円形である。側面部１２５の外面は、最外周部１２８から上面部１２３及び後述する中間部１２６又は底面部１２４に接続する曲率が略一定の外側に凸である曲面である。
【００２６】  本実施形態では、底面部１２４と側面部１２５との間に、中間部１２６を備えている。中間部１２６は、底面部１２４と側面部１２５とを段差がないように接続するために設けられている。本実施形態では、底面部１２４の外面は、中心軸Ｘを通る断面形状が外側に凸及び半径ＲＣの円弧である曲面である。なお、中間部１２６の外面は、中心軸Ｘを回転軸とする回転面である。
【００２７】  本体１２１は、上面部１２３、側面部１２５、中間部１２６、底面部１２４が段差なく連結して形成されている。本体１２１の外面である上面部１２３から底面部１２４までの外面は、１８０°折り返した面になっている。本実施形態では、側面部１２５の外面を外側に凸の曲面で形成している。すなわち、側面部１２５の外面は、最外周部１２８より内側にある上面部１２３、最外周部１２８及び最外周部１２８より内側にある底面部１２４に至る曲面の一部であって、外側に凸である曲面である。
【００２８】  上記のような側面部１２５を設けることによって、底面部１２４（及び中間部１２６）では密着することができないような、例えば、鎖骨周りのような凹凸がある肌面にも側面部１２５を密着することができる。
【００２９】  首や首から胸元にかけての部位であるデコルテをマッサージする美容器具１００の場合は、例えば、半径ＲＡは５０〜１００ｍｍ程度、半径ＲＢは２〜１０ｍｍ程度、半径ＲＣは２０〜５０ｍｍ程度である。首筋のような緩やかな曲面を有する肌面の場合は、底面部１２４及び／又は中間部１２６を用いる。鎖骨周りのような凹凸がある肌面の場合は、側面部１２５を用いる。
【００３０】  半径ＲＡ、半径ＲＢ及び半径ＲＣの大小関係は、ＲＡ＞ＲＣ＞ＲＢである。特に、半径ＲＡ及び半径ＲＢの大小関係はＲＡ＞＞ＲＢとなっていることから、マッサージの際に底面部１２４（及び中間部１２６）と側面部１２５を用いるので、美容器具１００のマッサージヘッド部１２０を多様な形状の肌面に対して肌に密着させることができる。
【００３１】  なお、本実施形態では、中間部１２６を備えているが、中間部１２６を備えずに底面部１２４と側面部１２５が直接接続されていてもよい。本実施形態では、底面部１２４、側面部１２５、中間部１２６の断面形状が円弧である曲面であるが、円弧以外の曲線であってもよい。例えば、楕円弧やスプライン曲線でもよい。本実施形態では、底面部１２４、中間部１２６は曲面であったが、曲面に限らない。例えば、底面部１２４、中間部１２６の一部又は全部が平面であってもよい。また、上面部１２３についても平らな面ではなく曲面であってもよい。
【００３２】  また、本実施形態では、本体１２１は中心軸Ｘに対して回転対称であるとしたが、本体１２１の形状は回転対称に限らない。例えば、平面視が楕円形状や略矩形状、略多角形状であってもよい。また、平面視で円盤状等の形状の一部を切断したような形状でもよい。更に、外周全面ではなく、側面部の一部に当該凸である曲面を１つ以上有するようにしてもよい。
【００３３】  次に、本体１２１の材質と製造方法について説明する。
【００３４】  本実施形態の本体１２１は、金属製の１枚の板（例えば、厚さ１ｍｍ）をプレス加工して形成された中空の円盤状の部材で構成されている。すなわち、本体１２１は一体物として形成されている。本体１２１に用いられる金属としては、アルミニウム、銅、ステンレス、鉄等が好ましい。特に、アルミニウムが好ましい。
【００３５】  本体１２１は、金属製の１枚の板をプレス加工して一体物として形成されていることから、つなぎ目なく形成することができる。つなぎ目がないことから、底面部１２４、側面部１２５の外面は全体として滑らか曲面とすることができる。したがって、マッサージの際にマッサージヘッド部１２０を肌に当てて動かしたとしても、継ぎ目による違和感がなく、肌ざわりをよくすることができる。
【００３６】  また、本体１２１は、金属製の１枚の板をプレス加工して一体物として形成されていることから、厚みがほぼ均一である。厚みがほぼ均一であることから、後で述べるように付加装置として加熱装置や冷却装置を備える場合に、加熱又は冷却の際に底面部１２４、側面部１２５、中間部１２６の温度を場所によらずほぼ一定にすることができる。
【００３７】  なお、本体１２１の材質や製造方法について、本実施形態の材質や製造方法とは別の材質や製造方法を採用してもよい。例えば、本体１２１の材質を樹脂、ガラス、セラミック、木材等としてもよい。また、材質に応じて本体１２１を切削加工、鋳造、射出成型等により製造してもよい。なお、本体１２１の形状も、材質や製法に応じて、底面部１２４、側面部１２５の内面側については、本実施形態とは別の形状を採用してもよい。
【００３８】  次に、本体１２１のコーティングについて説明する。
【００３９】  施術面に接する本体１２１の底面部１２４、側面部１２５、中間部１２６のそれぞれの外面には、低摩擦コーティングを施すのが好ましい。低摩擦コーティングとしては、フッ素樹脂やＰＥＥＫ樹脂、セラミック等のコーティングが挙げられる。低摩擦コーティングとしては、特にフッ素コーティングが好ましい。
【００４０】  フッ素コーティングに用いる樹脂として、ポリテトラフルオロエチレン（ＰＴＦＥ）、テトラフルオロエチレン・パーフルオロアルキルビニルエーテル共重合体（ＰＦＡ）、テトラフルオロエチレン・ヘキサフルオロプロピレン共重合体（ＦＥＰ）が好ましい。特に、ポリテトラフルオロエチレン（ＰＴＦＥ）が好ましい。また、セラミックのコーティングとして、バイセラム等が好ましい。
【００４１】  底面部１２４、側面部１２５、中間部１２６の外面には低摩擦コーティングが施されていることから、マッサージの際にマッサージヘッド部１２０を肌に当てて動かす際に、さらに肌への摩擦を低減することができる。
【００４２】  次に、付加装置１３４について説明する。
【００４３】  マッサージヘッド部１２０の本体１２１の内部には、付加装置１３４が備えられている。付加装置１３４は、例えば、加熱装置、冷却装置、振動発生装置、パルス電流発生装置、磁気発生装置、電磁波発生装置等のいずれか１つ又はそれらの２以上の組み合わせである。
【００４４】  加熱装置は、本体１２１を加熱する装置である。例えば、ヒータ、ペルチェ素子等である。冷却装置は、本体１２１を冷却する装置である。例えば、ペルチェ素子等である。振動発生装置は、本体１２１から超音波を送信したり、本体１２１自体を振動させたりする装置である。例えば、圧電素子、モータ等である。
【００４５】  パルス電流発生装置は、パルス電流を生成する装置である。パルス電流発生装置は、パルス電流の電位・極性を制御する制御回路装置を備えている。パルス電流発生装置は、イオン導入したり、イオン導出したり、電位差を発生させて電位差刺激したりするための装置である。磁気発生装置は、本体１２１から磁場を発生させる装置である。電磁波発生装置は、本体１２１から電磁波（光、電波等）を発生させる装置である。なお、電磁波発生装置を用いる場合は、本体１２１を電磁波が透過するようにする。例えば、本体１２１の材料に電磁波透過性の材料を用いたり、又は、本体１２１に電磁波が透過する窓部を設けたり等の適宜変更してもよい。
【００４６】  図４Ａは、本実施形態の美容器具１００の断面図である。図４Ｂは、本実施形態の美容器具１００の機能ブロック図である。図４Ａは、付加装置１３４として、加熱装置（面ヒータ）を備える例を示す。
【００４７】  美容器具１００は、制御部１３２、付加装置１３４、計時部１３６、操作部１３８を備える。
【００４８】  制御部１３２は、美容器具１００を全体の制御を行う。計時部１３６は、タイマー等であり時間計測を行う。制御部１３２と計時部１３６は、基板１３１上に設けられる。基板１３１は、取っ手部１１０の内部に設けられる。
【００４９】  付加装置１３４である面ヒータは、本体１２１の内面に貼付して設けられている。面ヒータを用いることによって、本体１２１を一様に加熱することができる。
【００５０】  操作部１３８は、スイッチ等の操作のための部品等であり施術者からの操作を受け付ける。スイッチ等は例えば取っ手部１１０の頂部に設けられる。
【００５１】  また、美容器具１００は、電源部１３９を備える。電源部１３９は、基板１３１や付加装置１３４に電源を供給する。
【００５２】  図４Ａでは、本体１２１と取っ手部１１０とは、本体固定部材１２９を介して固定されている。本体固定部材１２９は本体１２１の開口部１２２に挿入される。そして、本体固定部材１２９は、ネジ又は嵌合部材により本体１２１に固定される。取っ手部１１０は、本体固定部材１２９に嵌合部材により着脱可能に固定される。なお、本体１２１、本体固定部材１２９、取っ手部１１０の固定方法については、上述の例に限らず、適宜変更してもよい。
【００５３】  次に、容器２００について説明する。
【００５４】  図５は、本実施形態に係る容器２００の断面図である。容器２００は、容器本体２１０と、蓋２２０とを備える。容器本体２１０と蓋２２０は、ネジ止めや嵌合することにより取り外し可能となっている。容器本体２１０の内部には、美容器具１００に併用して使用する基剤５００を収納するのが好ましい。蓋２２０は、その上面に美容器具１００を収納可能な収納部２２２を備える。具体的には、蓋２２０の上面に美容器具１００のマッサージヘッド部１２０が収納できるようなくぼみが収納部２２２として設けられている。
【００５５】  美容器具１００は、保管する際には、図１のように、容器２００の収納部２２２にマッサージヘッド部１２０をはめ込むようにして収納される。
【００５６】  次に、美容器具１００に併用する基剤５００について説明する。以下、実施例に沿って本発明を説明するが、これらの実施例は本発明を限定するものではない。
【００５７】  美容器具１００に併用して使用する基剤５００はチクソトロピー性を有することが好ましい。チクソトロピー性とは、基剤を塗布させたとき、流動性が一時的に増加する、すなわち粘度が低下することをいう。容器収容時は構造状態を維持し、塗布後は、その塗布時間に関わらず元の構造状態に回復するため、容器からの垂れ落ちや化粧行為での垂れ落ちなどは無く、かつ、塗布時の抵抗感が軽減させることができる。
【００５８】  この流動性が増加する程度はせん断速度に依存するため、Ｂ型粘度計を用いて回転速度を変えて粘度測定をすることで特性を確認できる。
【００５９】  チクソトロピー性の異なる基剤について、回転速度を変えて粘度を測定した。また、それぞれの基剤について、垂れ落ちとべたつきについて評価を行った。
【００６０】  粘度の測定は、Ｂ型粘度計を用いて行った。測定条件は基剤温度を３０℃で統一し、回転速度を、３、１２、３０ｒｐｍにして、各々の６０秒後の定常値を粘度値とした。また、回転速度３ｒｐｍの粘度に対する回転速度３０ｒｐｍの粘度の比を求めた。
【００６１】  垂れ落ちの評価は美容器具１００の底面部１２４に基剤を１ｍｌ滴下し横に傾けた際の垂れ落ちるまでの程度を視感で評価した。評価の結果、傾け後に即座に垂れ落ちる場合を「×」、15秒間に垂れ落ちない場合を「△」、30秒以上垂れ落ちない場合を「〇」とした。なお、「×」の場合は不合格である。
【００６２】  べたつきの評価は、パネラー１０名による使用試験で評価した。評価の結果、パネラー10名中べたつきがないと評価をした人数が、7名以上の場合を「〇」、４〜６名の場合を「△」、3名以下の場合を「×」とした。なお、「×」の場合は不合格である。
【００６３】  結果を表１に示す。
【００６４】
【表１】
2020105592.tif 000003
【００６５】  表１の結果から本実施形態に併用する基剤について、Ｂ型粘度計における基剤温度３０℃での回転速度３ｒｐｍの粘度に対する回転速度３０ｒｐｍの粘度の比は０．５以下、より好ましくは０．３以下にすればよい。かつ、本実施形態の基剤の回転速度１２ｒｐｍの粘度は２５００〜１０００００ｍＰａ・ｓにすればよい。より好ましくは５０００〜５００００ｍＰａ・ｓ、さらには５０００〜３００００ｍＰａ・ｓにすればよい。そのようなチクソトロピー性を有する基剤を用いることによって、心地よくケアすることができる。
【００６６】  チクソトロピー性を基剤に付与するためには増粘剤を１種または２種以上を配合すると良い。前記増粘剤は特に限定されることはないが、例えば、天然の水溶性高分子の増粘剤としては、アラアビアガム、トラガカントガム、ガラクタン、グアーガム、ローカストビーンガム、タマリントガム、キャロブガム、カラヤガム、カラギーナン、ペクチン、カンテン、クインスシード（マルメロ）、アルゲコロイド（カッソウエキス）、デンプン（コメ、トウモロコシ、バレイショ、コムギ）、グリチルリチン酸等の植物系水溶性高分子；キサンタンガム、デキストラン、サクシノグリカン、ブルラン等の微生物系水溶性高分子；コラーゲン、カゼイン、アルブミン、ゼラチン等の動物系水溶性高分子などが例示される。
【００６７】  半合成水溶性高分子の増粘剤としては、カルボキシメチルデンプン、メチルヒドロキシプロピル、デンプン等のデンプン系水溶性高分子；メチルセルロース、ニトロセルロース、エチルセルロース、メチルヒドロキシプロピルセルロース、ヒドロキシエチルセルロース、セルロース硫酸ナトリウム、ヒドロキシプロピルセルロース、カルボキシメチルセルロース（ＣＭＣ）、結晶セルロース、セルロース末等のセルロース系水溶性高分子；アルギン酸ナトリウム、アルギン酸プロピレングリコールエステル等のアルギン酸系水溶性高分子などが例示される。
【００６８】  合成水溶性高分子の増粘剤としては、ポリビニルアルコール、ポリビニルメチルエーテル、ポリビニルピロリドン、カルボキシビニルポリマー（カーボポール）等のビニル系水溶性高分子；ポリエチレングリコール２０，０００、同４，０００，０００、同６００，０００等のポリオキシエチレン系水溶性高分子；ポリオキシエチレンポリオキシプロピレン共重合体等の共重合系水溶性高分子；ポリアクリル酸ナトリウム、ポリエチルアクリレート、ポリアクリルアミド等のアクリル系水溶性高分子のほか、ポリエチレンイミン、カチオンポリマーなどが例示される。
【００６９】  無機粉体の増粘剤としては、ベントナイト、ケイ酸ＡｌＭｇ（ビーガム）、ラポナイト、ヘクトライト、無水ケイ酸などが例示される。粉末成分としては、疎水性粉末、親水性粉末のいずれも用いることができ、表面が処理されていても良い。
【００７０】  なお、これら増粘剤で固化した組成物を解砕処理して、固化物の立体障壁により構造を持たせたミクロゲル構造を有しても良い。
【００７１】  特に、このミクロゲル構造を有する増粘剤、または処理を用いると少量の配合で特性の付与が容易である。例えば、水溶性増粘剤であれば、カルボキシビニルポリマー、粘土鉱物、無水ケイ酸、結晶セルロースが良い。
【００７２】  また、チクソトロピー性を基剤に付与するためには乳化構造をとると良い。特に、水中油型を用いると水溶性増粘剤の効果をより発揮できる。この時の乳化に使用する乳化剤としては、油相中への溶解性が低く温度安定性がよいことから親水性界面活性剤が好ましく、特に総ＨＬＢが１０以上である１種または２種以上から構成されるものが好適である。例えばグリセリン又はポリグリセリン脂肪酸エステル類、プロピレングリコール脂肪酸エステル類、ＰＯＥソルビタン脂肪酸エステル類、ＰＯＥソルビット脂肪酸エステル類、ＰＯＥグリセリン脂肪酸エステル類、ＰＯＥ脂肪酸エステル類、ＰＯＥアルキルエーテル類、ＰＯＥアルキルフェニルエーテル類、ＰＯＥ・ＰＯＰアルキルエーテル類、ＰＯＥヒマシ油又は硬化ヒマシ油誘導体、ＰＯＥ蜜ロウ・ラノリン誘導体、アルカノールアミド類、ＰＯＥプロピレングリコール脂肪酸エステル類、ＰＯＥアルキルアミン、ＰＯＥ脂肪酸アミド等から選択される１種または２種以上を配合する。ただし、これらの例示に限定されるものではない。
【００７３】  また、基剤５００は通常化粧料に配合される得る成分であれば特に限定されるものでなく、例えば、シリコーン油、エステル油、炭化水素油、紫外線吸収剤、高級脂肪酸、高級アルコール、油脂、ロウ、乳化剤、分散剤、低級アルコール、保湿剤、防腐剤、消炎剤、血行促進剤、抗炎症剤、美白剤、抗脂漏剤、賦活剤、香料、塩、各種抽出物、粉末、酸化チタン、酸化亜鉛、無機色材、有機色材、パール剤等が挙げられる。なお、粉末は表面処理されていても良い。ただし、これらの例示に限定されるものではない。
【００７４】  さらに、付加装置１３４によって基剤の特性を変更するようにしてもよい。加熱装置又は冷却装置を備える場合には、動作温度で物性変化することが好ましい。例えば、３５℃〜７０℃又は５℃〜１５℃で結果として粘度が増減するようにすることが好ましい。また、振動装置を備える場合には振動周波数で物性変化することが好ましい。例えば、２０ｋＨｚ〜１０ＭＨｚで結果として粘度が増減するようにすることが好ましい。また、光照射装置を備える場合には、その波長で物性変化することが好ましい。例えば、４５０ｎｍ〜７５０ｎｍで結果として粘度が増減するようにすることが好ましい。また、パルス電流発生装置を備える場合には、そのパルス波高で物性変化することが好ましい。例えば、０．００１ｍＡ〜１０ｍＡで結果として粘度が増減するようにすることが好ましい。また、磁気発生装置を備える場合には、その磁束密度で物性変化することが好ましい。例えば、０．００００１Ｔ（テスラ）〜１０Ｔ（テスラ）で結果として粘度が増減するようにすることが好ましい。
【００７５】  また、電位差を発生させるパルス電流発生装置を備える場合には、その電位差に応答して化粧成分の浸透が速くなるような成分を含む基剤を用いることが好ましい。特にその基剤の成分には、美白、保湿を目的とする成分が含まれることが好ましい。
【００７６】  なお、容器本体内に収納するものは基剤に限らない。例えば、皮膚面を清潔に保つための除菌用布や化粧料であってもよい。
【００７７】  次に、美容器具１００を用いる美容のためのマッサージ方法について説明する。
【００７８】  図６は、本実施形態に係る美容器具１００の処理フローチャートの一例である。ここでは、例として、付加装置１３４に加熱装置を用いた場合について説明する。
【００７９】  制御部１３２は、付加装置１３４の動作を開始し、動作を開始してからの時間を計時部１３６で計測し、所定の時間が経過した場合に動作を終了するように制御する。例えば、付加装置１３４が動作を開始してから所定の時間（例えば、３分、等。）したら動作を終了とする。
【００８０】  処理を開始すると、美容器具１００の制御部１３２は、操作部１３８、例えば、スイッチ、が操作されたかどうか調べる（ステップＳ１０）。操作部１３８が操作されていない場合には、操作されるまでステップＳ１０を繰り返す。
【００８１】  操作部１３８が操作された場合には、制御部１３２は、付加装置１３４である加熱装置を起動させる（ステップＳ２０）。起動した付加装置１３４である加熱装置は、本体１２１の底面部１２４、側面部１２５、中間部１２６を加熱して目標温度になるように制御する。目標温度は、例えば、４０℃である。
【００８２】  制御部１３２は、付加装置１３４である加熱装置を起動してから３分経過したかどうかを判定する（ステップＳ３０）。３分経過していない場合は、ステップＳ３０を繰り返す。３分経過した場合には、制御部１３２は、付加装置１３４である加熱装置を停止させる（ステップＳ４０）。そして、処理は終了する。なお、処理終了後は再度処理を開始することによって、繰り返し処理を行うようにしてよい。
【００８３】  上述のように、所定の時間が経過すると動作を終了させることによって、例えば低温やけど等を防止することができる。また、加熱装置等を動作させたままにすることがないことから、火災防止等の安全性を高めることができる。さらには、無駄な電力を使うことないことからエネルギーの無駄な消費を抑えることができる。
【００８４】  図７Ａ、図７Ｂは、本実施形態に係る美容器具１００を用いる美容のためのマッサージ方法を説明する図である。図７Ａは、首筋のような緩やかな曲面の肌面３００を施術面として美容器具１００の使用する場合の図である。図７Ｂは、鎖骨周りのような複雑な面の肌面４００を施術面として美容器具１００の使用する場合の図である。
【００８５】  最初に、図１の容器２００に収納されている基剤５００を肌（皮膚）に塗布（適用）する。また、美容器具１００の付加装置１３４を起動する。そして、美容器具１００を図７Ａのような緩やかな曲面の肌面３００を施術面として美容器具１００の使用する場合には、底面部１２４（及び中間部１２６）を施術面に押し当てる。また、図７Ｂのように複雑な面の肌面４００を施術面として美容器具１００の使用する場合には、側面部１２５（及び中間部１２６）を施術面に押し当てる。
【００８６】  なお、本実施形態に係るマッサージ用美容機器１を用いて美容のためのマッサージを行う際には、大別すると（１）美容器具１００のマッサージヘッド部１２０のみ、（２）美容器具１００のマッサージヘッド部１２０と付加装置１３４の組み合わせ、（３）美容器具１００のマッサージヘッド部１２０と基剤５００の組み合わせ、（４）美容器具１００のマッサージヘッド部１２０と付加装置１３４、基剤５００の組み合わせ、等様々な種類のマッサージ方法を採用することができる。
【００８７】  （１）美容器具１００のマッサージヘッド部１２０のみによるマッサージは、マッサージヘッド部１２０を施術面に押し当てることにより行うマッサージである。この場合には、付加装置１３４は動作させない。なお、付加装置１３４を備えていない美容器具１００を用いてもよい。本実施形態のマッサージヘッド部１２０を用いることによって、マッサージの際に、多様な形状の肌面に対し、マッサージヘッド部１２０を肌に密着させることができる。
【００８８】  （２）美容器具１００のマッサージヘッド部１２０と付加装置１３４の組み合わせによるマッサージは、付加装置１３４を動作させながらマッサージヘッド部１２０を施術面に押し当てて行うマッサージである。美容器具１００のマッサージヘッド部１２０に付加装置１３４を組み合わせることによって、更に、温度、電気、電磁波、振動等の刺激を加えながらマッサージを行うことができる。
【００８９】  （３）美容器具１００のマッサージヘッド部１２０と基剤５００の組み合わせによるマッサージは、施術面に基剤５００を適用してから、マッサージヘッド部１２０を施術面に押し当てることにより行うマッサージである。この場合には、（１）と同様に、付加装置１３４は動作させない。なお、付加装置１３４を備えていない美容器具１００を用いてもよい。美容器具１００のマッサージヘッド部１２０に基剤５００を組み合わせることによって、更に、マッサージの際に肌への摩擦を低減することが可能になる。また、基剤５００により、肌へ水分や美容成分を補給することできる。
【００９０】  （４）美容器具１００のマッサージヘッド部１２０と付加装置１３４、基剤５００の組み合わせによるマッサージは、施術面に基剤５００を適用してから、付加装置１３４を動作させながらマッサージヘッド部１２０を施術面に押し当てて行うマッサージである。この場合は、上述のように、付加装置１３４に適合する基剤５００を用いることが好ましい。美容器具１００のマッサージヘッド部１２０に付加装置１３４及び基剤５００を組み合わせることによって、更に、付加装置１３４により基剤５００の効果を向上させることができる。
【００９１】  このように、本実施形態において、底面部１２４（及び中間部１２６）を用いることによって、緩やかな曲面の肌面に基剤を広い面に塗りやすくなっている。また、側面部１２５を用いることによって、底面部１２４を押し当てることができないような施術面にも、マッサージヘッドを押し当てることができる。
【００９２】  次に、本実施形態に係る美容器具１００の変形例について説明する。
【００９３】  図８は、変形例の美容器具１５０の本体１７１の断面図及び平面図である。
【００９４】  本体１７１は、本体１２１と同様に、上面部１７３と、上面部１７３に対向する底面部１７４と、上面部１７３と底面部１７４との間に側面部１７５とを備える。また、底面部１７４と側面部１７５の間に中間部１７６を備える。また、本体１２１と同様に、上面部１７３の中心には、開口部１７２が形成されている。上面部１７３側から見た平面視で、側面部１７５の外周部分を最外周部１７８という場合がある。
【００９５】  本体１７１では、側面部１７５の外面は、中心軸Ｘを通る断面形状が、最小半径がＲＢ１、最大半径がＲＢ２（＝ＲＢ）の円弧である曲面である。すなわち、側面部１７５の平面視の位置によって、側面部１７５の外面の曲率が異なる。本変形例では、図８の一番右側が最小半径、一番左側が最大半径になっている。
【００９６】  なお、最小半径、最大半径の位置は、図８の開示に限らず適宜変更してもよい。また、最小半径と最大半径の間の半径については、適宜変化するにすればよい。例えば、最小半径の位置との角度に比例する半径としてもよい。
【００９７】  図９Ａ、図９Ｂは、変形例の美容器具１５０を用いる美容のためのマッサージ方法を説明する図である。
【００９８】  図９Ｂの肌面６００は、図７Ｂ（図９Ａ）の肌面４００より複雑になっている。肌面４００に対しては、側面部１７５の断面形状が半径ＲＢ２の円弧である部分を押し当てる。肌面６００に対しては、側面部１７５の断面形状が半径ＲＢ１の円弧である部分を押し当てる。このようにして、更に複雑な肌面に対しても、マッサージヘッドを密着させることができる。
【００９９】  なお、マッサージ用美容機器１は、首や首から胸元にかけての部位であるデコルテに限らず、例えば、顔や腕、脚等に用いてもよい。
【０１００】  以上、本発明を実施例に基づいて説明したが、本発明は上記実施例に限定されるものではなく、特許請求の範囲に記載の範囲内で様々な変形が可能である。
【０１０１】  本願は、日本特許庁に２０１８年１１月１９日に出願された基礎出願特願２０１８−２１６５３３号の優先権を主張するものであり、その全内容を参照によりここに援用する。
【符号の説明】
【０１０２】    １  マッサージ用美容機器１００  美容器具１１０  取っ手部１２０  マッサージヘッド部１２１  本体１２２  開口部１２３  上面部１２４  底面部１２５  側面部１２６  中間部１２８  最外周部１３４  付加装置２００  容器２２２  収納部５００  基剤    Ｘ  中心軸
【図１】
2020105592.tif 000004
【図２】
2020105592.tif 000005
【図３】
2020105592.tif 000006
【図４Ａ】
2020105592.tif 000007
【図４Ｂ】
2020105592.tif 000008
【図５】
2020105592.tif 000009
【図６】
2020105592.tif 000010
【図７Ａ】
2020105592.tif 000011
【図７Ｂ】
2020105592.tif 000012
【図８】
2020105592.tif 000013
【図９Ａ】
2020105592.tif 000014
【図９Ｂ】
2020105592.tif 000015
【国際調査報告】
2020105592.tif 000016
2020105592.tif 000017
2020105592.tif 000018
2020105592.tif 000019
2020105592.tif 000020
2020105592.tif 000021
2020105592.tif 000022
2020105592.tif 000023
2020105592.tif 000024
2020105592.tif 000025